(57)【要約】  【課題】処方の区分を自動的に決定できる医療事務用計算機が求められていた。  【解決手段】薬剤の名称と保険点数と区分情報を調剤コードとともに記憶する薬剤コードマスタファイルと、用法と区分情報を用法コードとともに記憶する用法コードマスタファイルと、薬剤コード及び用法コードを入力するための入力手段と、入力手段から薬剤コード及び用法コードが入力されたことに応じてそれぞれの区分情報を薬剤コードマスタファイル及び用法コードマスタファイルから読み出し、薬剤コードの区分と用法コードの区分とを比較して一致する場合は薬剤コードの区分をその処方の区分として決定し、一致しない場合は用法コードの区分をその処方の区分として決定する算定手段と、を備えた医療事務用計算機。  【選択図】図１
2005032062.tif 000002
【特許請求の範囲】
【請求項１】
処方せんに記載された薬剤及び用法から成る処方データを薬剤コード及び用法コードを用いて入力し、処方に係る報酬を算定する医療事務用計算機であって、薬剤の名称と保険点数と薬剤コードとを記憶する薬剤コードマスタファイルと、用法とその用法コードとを記憶する用法コードマスタファイルと、薬剤コード及び用法コードを入力するための入力手段と、入力された薬剤コードと用法コードによってその処方の区分を決定し、処方に係る報酬を算定する算定手段と、を備え、
前記薬剤コードマスタファイルは薬剤コードに関係付けて区分情報をさらに記憶し、
前記用法コードマスタファイルは用法コードに関係付けて区分情報をさらに記憶し、
前記算定手段は、入力手段から薬剤コード及び用法コードが入力されたことに応じてそれぞれの区分情報を薬剤コードマスタファイル及び用法コードマスタファイルから読み出し、薬剤コードの区分と用法コードの区分とを比較して一致する場合は薬剤コードの区分をその処方の区分として決定し、一致しない場合は用法コードの区分をその処方の区分として決定する、ことを特徴とする医療事務用計算機。
【請求項２】
前記用法コードマスタファイルは用法コードに関係付けて複数の区分情報を記憶するものであり、
前記算定手段は、入力された薬剤コードの区分を用法コードの複数の区分と比較し、一致するものが１つでもある場合は薬剤コードの区分をその処方の区分として決定し、一致するものがない場合は用法コードの第１区分をその処方の区分として決定することを特徴とする、請求項１に記載の医療事務用計算機。
【請求項３】
前記用法コードマスタファイルは区分情報を持たない用法コードも記憶するものであり、
前記算定手段は、用法コードに区分情報があるかないかを判定し、区分情報がない場合は薬剤コードの区分をその処方の区分として決定することを特徴とする、請求項１又は請求項２に記載の医療事務用計算機。
【請求項４】
処方せんに記載された薬剤及び用法から成る処方データを薬剤コード及び用法コードを用いて入力し、処方に係る報酬を算定する医療事務用計算機において処方の区分を決定する方法であって、
薬剤の名称及び保険点数と薬剤コードとを関係付けて記憶する薬剤コードマスタファイルに更に薬剤コードに関係付けて区分情報を記憶し、
用法とその用法コードとを関係付けて記憶する用法コードマスタファイルに更に用法コードに関係付けて区分情報を記憶し、
薬剤コードが入力されたことに応じて薬剤コードマスタファイルからその薬剤コードの区分情報を読み出し、
用法コードが入力されたことに応じて用法コードマスタファイルからその用法コードの区分情報を読み出し、
薬剤コードの区分と用法コードの区分とを比較して一致する場合は薬剤コードの区分をその処方の区分として決定し、一致しない場合は用法コードの区分をその処方の区分として決定することを特徴とする医療事務用計算機における処方区分の決定方法。
【請求項５】
前記用法コードマスタファイルに用法コードに関係付けて複数の区分情報を記憶しておき、
薬剤コードの区分を用法コードの複数の区分と比較して一致するものが１つでもある場合は薬剤コードの区分をその処方の区分として決定し、一致するものがない場合は用法コードの第１区分をその処方の区分として決定することを特徴とする、請求項４に記載の医療事務用計算機における処方区分の決定方法。
【請求項６】
前記用法コードマスタファイルは区分情報を持たない用法コードも記憶しておき、
用法コードに区分情報があるかないかを判定して区分情報がない場合は薬剤コードの区分をその処方の区分として決定することを特徴とする、請求項４又は請求項５に記載の医療事務用計算機における処方区分の決定方法。
【請求項７】
コンピュータを、
薬剤の名称と区分情報とをその薬剤コードに関係付けて記憶する薬剤コードマスタ記憶手段、
用法と区分情報とをその用法コードに関係付けて記憶する用法コードマスタ記憶手段、
薬剤コード及び用法コードを入力するための入力手段、
入力された薬剤コードで薬剤コードマスタ記憶手段を検索してその薬剤コードの区分情報を読み出し、入力された用法コードで用法コードマスタ記憶手段を検索してその用法コードの区分情報を読み出し、薬剤コードの区分と用法コードの区分とを比較して一致する場合は薬剤コードの区分をその処方の区分として決定し、一致しない場合は用法コードの区分をその処方の区分として決定する手段、
として機能させることを特徴とするプログラム。
【請求項８】
請求項７において、さらにコンピュータを、
前記用法コードマスタ記憶手段を、用法コードに関係付けて用法と複数の区分情報とを記憶する用法コードマスタ記憶手段として機能させ、
前記決定する手段を、入力された薬剤コードで薬剤コードマスタ記憶手段を検索してその薬剤コードの区分情報を読み出し、入力された用法コードで用法コードマスタ記憶手段を検索してその用法コードの区分情報を読み出し、薬剤コードの区分を用法コードの複数の区分と比較して一致するものが１つでもある場合は薬剤コードの区分をその処方の区分として決定し、一致するものがない場合は用法コードの第１区分をその処方の区分として決定する手段として機能させる、
ことを特徴とするプログラム。
【請求項９】
請求項７又は請求項８において、さらにコンピュータを、
前記用法コードマスタ記憶手段を、区分情報を持たない用法コードも更に記憶する用法コードマスタ記憶手段として機能させ、
前記決定する手段を、入力された用法コードで用法コードマスタ記憶手段を検索し、その用法コードに区分情報があるかないかを判定して区分情報がない場合は薬剤コードの区分をその処方の区分として決定する手段として機能させる、
ことを特徴とするプログラム。
【発明の詳細な説明】
【技術分野】
【０００１】
本発明は、調剤薬局などに於いて調剤報酬を算定する医療事務用計算機に係り、特に内服、外用などの処方の区分を自動的に決定する装置及び方法に関する。
【背景技術】
【０００２】
調剤薬局や医療機関では処方せんに従って調剤した薬を患者に手渡すと、その処方の内容を患者別に調剤報酬明細書（以下、レセプトと呼ぶ）に記載し、保険機関に提出して保険料を請求する。その際、レセプトに記載する処方は「区分」別に記載し、且つ「区分」別の集計も記載するよう求められている。ここで区分とは薬の使われ方を表わすものであり、「内服」、「頓服」、「外用」、「注射」、「内服用滴剤」及び「特定保険医療材料」が指定されている。
【０００３】
そして、調剤報酬算定のために処方せんに従って薬剤名や量などの処方内容を入力するとき、区分を自動的に決定する方法が特開平１１−１６１７０４号公報（特許文献１）に記載されている。これは、薬の飲み方や服用時点を指示する用法コードに区分の情報を付加して登録しておき、用法を入力した時点で区分を判断するものである。
【特許文献１】特開平１１−１６１７０４号公報
【発明の開示】
【発明が解決しようとする課題】
【０００４】
しかし、区分が異なっても同じ飲み方即ち同じ用法が処方せんに記載されることもあり、用法だけでは区分を決定できないことがある。また、用法コードにより区分を決定するためには、同じ飲み方の用法コードでも区分毎に作成する必要がある。しかし、区分毎に作成された用法コードを入力するオペレータは、より多くの用法コードの中から選択しなければならず、しかも、万が一間違った用法コードを入力してしまうと、区分が間違っていることになるため、この方法でもオペレータの負担は大きかった。
【課題を解決するための手段】
【０００５】
本発明は、処方せんに記載された薬剤及び用法から成る処方データを薬剤コード及び用法コードを用いて入力し、処方に係る報酬を算定する医療事務用計算機であって、薬剤の名称と保険点数と薬剤コードとを記憶する薬剤コードマスタファイルと、用法とその用法コードとを記憶する用法コードマスタファイルと、薬剤コード及び用法コードを入力するための入力手段と、入力された薬剤コードと用法コードによってその処方の区分を決定し、処方に係る報酬を算定する算定手段と、を備え、前記薬剤コードマスタファイルは薬剤コードに関係付けて区分情報をさらに記憶し、前記用法コードマスタファイルは用法コードに関係付けて区分情報をさらに記憶し、前記算定手段は、入力手段から薬剤コード及び用法コードが入力されたことに応じてそれぞれの区分情報を薬剤コードマスタファイル及び用法コードマスタファイルから読み出し、薬剤コードの区分と用法コードの区分とを比較して一致する場合は薬剤コードの区分をその処方の区分として決定し、一致しない場合は用法コードの区分をその処方の区分として決定することで、上記課題を解決する。
【発明の効果】
【０００６】
本発明の医療事務用計算機によれば、１つの用法に対して用法コードはあくまで１つなので、オペレータは処方せん記載の用法をそのまま入力すればよく、入力間違いを減らすことができる。また、例えば、内服を頓服に変更する必要があるかどうか等、その処方の区分が何であるかをオペレータは気にしなくてもよいので、負担が減るものである。また、処方毎に区分を入力する必要がなくなるので、作業性が向上するものである。
【発明を実施するための最良の形態】
【０００７】
本発明の実施の形態における医療事務用計算機は、図１に示すように、基本的には制御装置１０にファイル装置１９と入力手段１６と、表示手段１７と印刷手段１８とを情報交換可能に接続した構成である。制御装置１０は、予め登録されているプログラムを実行することで装置全体の制御を行なうシステム制御部１１と、入力手段１６から入力された処方データに基づいて処方に係る調剤報酬を計算する算定部１４と、ファイル装置１９に記憶されている各種ファイルの読み書きを制御するファイル制御部１２と、入力手段１６からのデータ入力及び表示手段１７や印刷手段１８へのデータ出力を制御する入出力制御部１５と、そして、一時記憶手段であるメモリ１３とを備えている。入力手段１６はキーボードやマウス装置、手書タブレット等で構成しており、処方せんに基づいてオペレータが薬のデータを入力するのに使用する。表示手段１７はＣＲＴやＬＣＤで構成し、入出力制御部１５が処方データの入力画面や薬剤及び用法の一覧を表示する。
【０００８】
ファイル装置１９はハードディスク装置等で構成され、以下の４つのファイルを記憶している。薬剤コードマスタファイル２０は、保険薬毎の入力用のコードと名称等のデータを登録したものである。用法コードマスタファイル３０は、薬の用い方を指示する用法とその入力用コードとを登録したものである。患者頭書データファイル４０は、患者の氏名や生年月日、保険者番号等の患者固有の情報を患者コードとともに登録したものである。そして、患者処方データファイル５０は、オペレータが処方せんに基づいて入力した処方データを患者別に登録したものである。この処方データはそれが内服であるか頓服であるかなどの区分別に記憶するようにしている。
【０００９】
図２に、薬剤コードマスタファイル２０のレコード構成を示す。薬剤コードマスタファイル２０には、医療保険の対象となる医薬品の名称２２と計量単位２３と、調剤報酬算定の基礎となる保険点数２４と、そして区分２５がユニークな薬剤コード２１とともに登録されている。オペレータは薬剤コード２１を入力手段１６から入力するので、算定部１４は同コードで薬剤コードマスタファイル２０を検索してデータを読み出し、その保険点数から調剤報酬を算定するとともに患者処方データファイル５０に処方データを記録するものである。
【００１０】
図３に、用法コードマスタファイル３０のレコード構成を示す。用法コードマスタファイル３０には薬の飲み方や服用時点の指示内容である指示３２と、区分の情報３３がユニークな用法コード３１とともに登録されている。指示３２がいわゆる用法の中身である。また、本実施の形態では、区分情報３３は区分１乃至区分５の５個まで登録できるようになっているが、区分情報３３が１つもない用法コード３１も許容している。
【００１１】
図４に、具体的な用法コード３１の登録例を示す。１行目は飲み薬の例で、その薬を毎食後に服用することを指示する用法であり、区分情報３３には「３１」即ち内服が登録されている。用法コード３１は「フ３３」であり、オペレータは処方せん記載の用法を装置に入力する際、「毎食後」という文字列をキーボードから入力する代りに、「フ３３」と入力する。３行目は発熱時に服用を指示する用法であり、区分情報３３は「３２」即ち頓服である。５行目は痒い時に使うことを指示する用法であり、区分情報３３には頓服と外用の２つが登録されている。尚、薬剤コードマスタファイル２０の区分２５も、用法コードマスタファイル３０の区分情報３３と同様に、内服を表す「３１」から特定保険医療材料を表す「３６」までの数字により区分２５が登録されている。
【００１２】
次に、本実施の形態の動作を図５、図６のフローチャートを参照して説明する。オペレータは表示手段１７に表示された処方データの入力画面上で患者を指定し、その患者の処方データを入力する（ステップＳ５１）。その際、処方せんに記載された薬をその薬剤コ
ード２１で先ず入力し、次に、処方せん記載の用法をその用法コード３１を使ってキーボードから入力する（ステップＳ６１）。これに応じて、算定部１４は、入力された薬剤コード２１で薬剤コードマスタファイル２０を検索し、その薬に関するレコードデータを読み出して（同Ｓ５２）、区分２５を含む薬剤データをメモリ１３に記憶しておく（同Ｓ５３）。
【００１３】
次に、用法コード３１が入力されると算定部１４は、入力された用法コード３１で用法コードマスタファイル３０を検索し、その用法に関するレコードデータを読み出してくる（ステップＳ６２）。そして、その用法コード３１に区分情報３３が登録されていれば（同Ｓ６３；ある）、先にメモリ１３に記憶しておいた薬剤の区分２５と比較する（同Ｓ６４）。その際、用法に複数の区分情報３３が登録されている場合は、それぞれ薬剤の区分２５と比較する。そして、一致する区分があれば、その一致した区分即ち薬剤データの区分２５をその処方の区分として決定する（同Ｓ６７）。他方、用法の区分情報３３と薬剤の区分２５に一致するものがない場合は、用法コード３１に登録された区分情報３３のうち、第１番目の区分１を代表に選択し、その処方の区分として決定する（同Ｓ６６）。そして、こうして決定した区分に基づいて処方に係る調剤報酬を算定し、そのデータを患者の患者処方データファイル５０に記録する（同Ｓ６８）。尚、用法コード３１に区分情報３３が登録されていない場合は（同Ｓ６３；ない）、薬剤コード２１の区分２５をそのまま採用して調剤報酬を算定するものである。
【００１４】
このように、本実施の形態では、予めその薬に設定された区分と用法の区分とが一致しない場合は用法の区分を優先して採用し、一方、用法に区分が特に設定されていない場合は、薬の区分を採用するものである。
【図面の簡単な説明】
【００１５】
【図１】実施形態の医療事務用計算機の構成を示すブロック図である。
【図２】薬剤コードマスタファイルのレコード構成を示す図である。
【図３】用法コードマスタファイルのレコード構成を示す図である。
【図４】用法コードマスタファイルの具体的な登録例を示す図である。
【図５】実施の形態の処理手順を示すフローチャートである。
【図６】実施の形態の処理手順を示すフローチャートである。
【符号の説明】
【００１６】
１０  制御装置
１１  システム制御部
１２  ファイル制御部
１４  算定部
１５  入出力制御部
１９  ファイル装置
２０  薬剤コードマスタファイル
２１  用法コードマスタファイル
【図１】
2005032062.tif 000003
【図２】
2005032062.tif 000004
【図３】
2005032062.tif 000005
【図４】
2005032062.tif 000006
【図５】
2005032062.tif 000007
【図６】
2005032062.tif 000008